(57)【要約】【課題】香りの種類に合わせた色で点灯させることのできる照明装置を提供する。【解決手段】照明装置Ａの筐体１０は透光性材料により略半球状に形成され、筐体１０の上部には芳香剤１２を入れる受け皿１１が一体に形成されている。また、筐体１０の内部には回路基板１３が収納されている。回路基板１３にはＲＧＢの３色の発光ダイオードＬＥＤＲ，ＬＥＤＧ，ＬＥＤＢと、各発光ダイオードＬＥＤＲ，ＬＥＤＧ，ＬＥＤＢの発光量を制御する制御回路を構成する回路部品が実装されており、各発光ダイオードＬＥＤＲ，ＬＥＤＧ，ＬＥＤＢの光は筐体１０を透過して外部に照射される。制御回路は各発光ダイオードＬＥＤＲ，ＬＥＤＧ，ＬＥＤＢの発光量を変化させており、各色を混色することで芳香剤１２の香りに合わせた色で照明することができる。【選択図】　　　図１
2004055360.tif 000002
【特許請求の範囲】
【請求項１】
芳香剤による演出効果に合わせて光の色を変化させる発光手段を備えて成ることを特徴とする照明装置。
【請求項２】
芳香剤を入れておく収納部を発光手段の発光時に発生する熱が伝わる部位に配置したことを特徴とする請求項１記載の照明装置。
【請求項３】
発光手段を収納する筐体を形成する材料に芳香剤を混ぜたことを特徴とする請求項１記載の照明装置。
【請求項４】
空調機から送風される空気が当たる場所に配置されるように発光手段を収納する筐体を空調機に取り付けるための取付手段を設けたことを特徴とする請求項２又は請求項３の何れか１つに記載の照明装置。
【請求項５】
風を受けて音が鳴る手段、又は、電子的に音声を再生する手段の何れかを設けたことを特徴とする請求項４記載の照明装置。
【請求項６】
浴槽の湯に芳香剤が入浴剤として入れられた浴室に配置され、発光手段を収納する筐体を、少なくとも一部が浴槽の湯に没するように形成したことを特徴とする請求項１記載の照明装置。
【請求項７】
泡風呂に配置して、発光手段の光を泡に照射させたことを特徴とする請求項１記載の照明装置。
【請求項８】
泡を発生する入浴剤が芳香を発することを特徴とする請求項７記載の照明装置。
【請求項９】
人の目に光が入射しやすい位置に発光手段を配置するとともに、芳香を発生する芳香発生手段を設け、予め設定された覚醒時刻がくると発光手段を発光させるとともに、芳香発生手段から覚醒しやすい香りを発生させることを特徴とする請求項１記載の照明装置。
【請求項１０】
覚醒時刻がくると、発光手段は光の色を人の瞼を通りにくい青色系から瞼を通過しやすい赤色系に変化させることを特徴とする請求項９記載の照明装置。
【請求項１１】
予め設定された睡眠開始時刻がくると、芳香発生手段が睡眠状態に誘導するような香りを発生させることを特徴とする請求項９又は請求項１０の何れか１つに記載の照明装置。
【請求項１２】
芳香剤が、虫に対して忌避効果を有する成分又は殺虫効果を有する成分の何れかを含んで成ることを特徴とする請求項１記載の照明装置。
【請求項１３】
上記発光手段は、少なくとも誘虫効果のある波長を除いた波長の光を発することを特徴とする請求項１記載の照明装置。
【請求項１４】
気象状態を予測する気象予測手段を設け、上記発光手段は気象予測手段の予測結果と芳香剤の香りとに基づいて光の色を変化させることを特徴とする請求項１乃至請求項１３の何れか１つに記載の照明装置。
【請求項１５】
上記発光手段は、光の色を時間の経過とともに変化させることを特徴とする請求項１乃至請求項１４の何れか１つに記載の照明装置。
【請求項１６】
上記発光手段を、ＲＧＢの３色の発光ダイオードと、各色の発光ダイオードの発光量を変化させる制御回路とで構成したことを特徴とする請求項１乃至請求項１５の何れか１つに記載の照明装置。
【請求項１７】
上記発光手段を、ＲＧＢの３色のフィルム状のＥＬ素子と、各色のＥＬ素子の発光量を変化させる制御回路とで構成したことを特徴とする請求項１乃至請求項１５の何れか１つに記載の照明装置。
【請求項１８】
上記発光手段は、入浴剤に混ぜた蛍光体と、蛍光体に紫外線を照射することで蛍光体を励起して発光させる紫外発光ダイオードからなることを特徴とする請求項６又は請求項８の何れかに記載の照明装置。
【発明の詳細な説明】
【０００１】
【発明の属する技術分野】
本発明は、視覚的及び嗅覚的な演出を行う照明装置に関するものである。
【０００２】
【従来の技術】
従来より、透光性の材料で形成された筐体の内部に光源を配置すると共に、筐体の上部に液状の芳香剤を入れる器を載置し、筐体を透過する光で視覚的に演出しながら、芳香剤の香りで嗅覚的な演出を同時に行う照明装置が提供されていた。
【０００３】
【発明が解決しようとする課題】
上記構成の照明装置では、光源の光色が変化しないため、香りの種類によっては香りによる演出効果と照明による演出効果とが一致しない場合があり、光源の光色によって芳香剤の選択の幅が狭められるという問題があった。
【０００４】
本発明は上記問題点に鑑みて為されたものであり、その目的とするところは、香りの種類に合わせた色で点灯させることのできる照明装置を提供することにある。
【０００５】
【課題を解決するための手段】
上記目的を達成するために、請求項１の発明では、芳香剤による演出効果に合わせて光の色を変化させる発光手段を備えて成ることを特徴とする。
【０００６】
請求項２の発明では、請求項１の発明において、芳香剤を入れておく収納部を発光手段の発光時に発生する熱が伝わる部位に配置したことを特徴とする。
【０００７】
請求項３の発明では、請求項１の発明において、発光手段を収納する筐体を形成する材料に芳香剤を混ぜたことを特徴とする。
【０００８】
請求項４の発明では、請求項２又は請求項３の発明において、空調機から送風される空気が当たる場所に配置されるように発光手段を収納する筐体を空調機に取り付けるための取付手段を設けたことを特徴とする。
【０００９】
請求項５の発明では、請求項４の発明において、風を受けて音が鳴る手段、又は、電子的に音声を再生する手段の何れかを設けたことを特徴とする。
【００１０】
請求項６の発明では、請求項１の発明において、浴槽の湯に芳香剤が入浴剤として入れられた浴室に配置され、発光手段を収納する筐体を、少なくとも一部が浴槽の湯に没するように形成したことを特徴とする。
【００１１】
請求項７の発明では、請求項１の発明において、泡風呂に配置して、発光手段の光を泡に照射させたことを特徴とする。
【００１２】
請求項８の発明では、請求項７の発明において、泡を発生する入浴剤が芳香を発することを特徴とする。
【００１３】
請求項９の発明では、請求項１の発明において、人の目に光が入射しやすい位置に発光手段を配置するとともに、芳香を発生する芳香発生手段を設け、予め設定された覚醒時刻がくると発光手段を発光させるとともに、芳香発生手段から覚醒しやすい香りを発生させることを特徴とする。
【００１４】
請求項１０の発明では、請求項９の発明において、覚醒時刻がくると、発光手段は光の色を人の瞼を通りにくい青色系から瞼を通過しやすい赤色系に変化させることを特徴とする。
【００１５】
請求項１１の発明では、請求項９又は請求項１０の発明において、予め設定された睡眠開始時刻がくると、芳香発生手段が睡眠状態に誘導するような香りを発生させることを特徴とする。
【００１６】
請求項１２の発明では、請求項１の発明において、芳香剤が、虫に対して忌避効果を有する成分又は殺虫効果を有する成分の何れかを含んで成ることを特徴とする。
【００１７】
請求項１３の発明では、請求項１の発明において、上記発光手段は、少なくとも誘虫効果のある波長を除いた波長の光を発することを特徴とする。
【００１８】
請求項１４の発明では、請求項１乃至請求項１３の何れかの発明において、気象状態を予測する気象予測手段を設け、上記発光手段は気象予測手段の予測結果と芳香剤の香りとに基づいて光の色を変化させることを特徴とする。
【００１９】
請求項１５の発明では、請求項１乃至請求項１４の何れかの発明において、上記発光手段は、光の色を時間の経過とともに変化させることを特徴とする。
【００２０】
請求項１６の発明では、請求項１乃至請求項１５の何れかの発明において、上記発光手段を、ＲＧＢの３色の発光ダイオードと、各色の発光ダイオードの発光量を変化させる制御回路とで構成したことを特徴とする。
【００２１】
請求項１７の発明では、請求項１乃至請求項１５の何れかの発明において、上記発光手段を、ＲＧＢの３色のフィルム状のＥＬ素子と、各色のＥＬ素子の発光量を変化させる制御回路とで構成したことを特徴とする。
【００２２】
請求項１８の発明では、請求項６又は請求項８の何れかの発明において、上記発光手段は、入浴剤に混ぜた蛍光体と、蛍光体に紫外線を照射することで蛍光体を励起して発光させる紫外発光ダイオードからなることを特徴とする。
【００２３】
【発明の実施の形態】
本発明の実施の形態を図面を参照して説明する。
【００２４】
（実施形態１）
本実施形態の照明装置を図１及び図２を参照して説明する。図２は照明装置Ａのブロック図であり、Ｒ、Ｇ、Ｂの３色の発光ダイオードＬＥＤＲ，ＬＥＤＧ，ＬＥＤＢと、各発光ダイオードＬＥＤＲ，ＬＥＤＧ，ＬＥＤＢの発光量を設定するための設定操作部１ａ〜１ｃと、各設定操作部１ａ〜１ｃによる設定値に応じた制御信号を発生する入力回路２と、例えばマイクロコンピュータからなり入力回路２からの制御信号に応じて各発光ダイオードＬＥＤＲ，ＬＥＤＧ，ＬＥＤＢの発光量を制御する制御回路３と、動作電源を供給する蓄電池Ｅとで構成される。
【００２５】
また、図１は照明装置Ａの外観斜視図であり、ガラス或いは透光性樹脂などの透光性材料により略半球状に形成された筐体１０を有し、筐体１０の上部には例えば液状の芳香剤１２（図中に斜線で示す）を入れる収納部としての受け皿１１が一体に形成されている。筐体１０の内部には３本の蓄電池Ｅと回路基板１３が収納されている。また、筐体１０の表面には上述した設定操作部１ａ〜１ｃの摘み（図示せず）が配置されている。尚、各発光ダイオードＬＥＤＲ，ＬＥＤＧ，ＬＥＤＢの発光量を個別に設定する設定操作部１ａ〜１ｃを設ける代わりに光の色を設定する設定部を１つ設けるようにしても良い。
【００２６】
回路基板１３はプリント基板からなり、ＲＧＢの３色の発光ダイオードＬＥＤＲ，ＬＥＤＧ，ＬＥＤＢと、上述した入力回路２及び制御回路３の回路部品とが実装されており、回路基板１３は受け皿１１の下側に、受け皿１１に近接させて配置されている。従って、点灯時に回路基板１３に実装された回路部品の発生する熱が対流などによって受け皿１１に伝わり、芳香剤１２の気化を促進させることで、香りを発散しやすくしている。
【００２７】
ここに、筐体１０は透光性材料により形成されているので、回路基板１３に実装された発光ダイオードＬＥＤＲ，ＬＥＤＧ，ＬＥＤＢが発光すると、各発光ダイオードＬＥＤＲ，ＬＥＤＧ，ＬＥＤＢの光が筐体１０を透過して、筐体１０全体を光らせ、さらに３色の光が混色して、見る者の網膜に入射することで、様々な色を認識させることができる。
【００２８】
そして、設定操作部１ａ〜１ｃを操作して各発光ダイオードＬＥＤＲ，ＬＥＤＧ，ＬＥＤＢの発光量をそれぞれ調整することで、芳香剤１２の香りによる演出効果に合わせて発光色を調整することができ、香りによる嗅覚的な演出と、照明による視覚的な演出とを同時に行うことでリラクゼーション効果を相乗的に高めることができる。例えば芳香剤１２の香りがラベンダーの香りであれば光の色を紫色、バラの香りであれば光の色を赤色、レモンの香りであれば光の色を黄色というように香りに合わせて光の色を変化させており、香りの種類に合わせた色に調整できるので、芳香剤１２の選択の自由度が高くなるという利点もある。尚、芳香剤１２の香りに適合する色については個人差が大きいので、各設定操作部１ａ〜１ｃによる発光量の設定の自由度を大きくとる必要がある。また、特定の香りの芳香剤を用いる場合に対応して、予め複数の芳香剤に対応した光の色で点灯させる際のＲ、Ｇ、Ｂの各色の発光量をメモリに記憶させておき、切替手段（図示せず）により光の色を切り換えることで、メモリに記憶された設定値に基づいて制御回路３が各発光ダイオードＬＥＤＲ，ＬＥＤＧ，ＬＥＤＢの発光量を制御するようにしても良く、設定の手間を省くことができる。
【００２９】
また、嗅覚による刺激の効果を増すためには、部屋の照明を暗くして目に入る光量を少なくするのが望ましく、その状態で芳香剤１２の香りに合わせた微量な光量の照明で演出すれば、ごく微量な光量で十分な演出効果を得ることができる。したがって、その光源としては発光ダイオードを用いるのが望ましく、消費電力を抑制することで蓄電池Ｅを電源とする場合でも長時間使用することができ、また光源自体の寿命も長寿命とすることができる。
【００３０】
尚、本実施形態ではＲ，Ｇ，Ｂの３色の発光ダイオードＬＥＤＲ，ＬＥＤＧ，ＬＥＤＢと制御回路３とで発光手段を構成しているが、発光手段の光源を発光ダイオードに限定する趣旨のものいではなく、例えば図３に示すように光源としてＲ，Ｇ，Ｂの３色のフィルム状のＥＬ（Ｅｌｅｃｔｒｏ　Ｌｕｍｉｎｅｓｃｅｎｔ）素子４ａ，４ｂ，４ｃを用いても良く、発光ダイオードに比べて発光面積を大きくとることができるので、発光ダイオードの場合とは違った光の演出が行える。また、フィルム状のＥＬ素子４ａ，４ｂ，４ｃは厚みを薄く形成でき、柔らかく容易に変形させることができるので、布のような柔らかい素材と組み合わせて使用することもできる。
【００３１】
また、本実施形態では芳香剤１２を入れるための受け皿１１を筐体１０と一体に形成しているが、筐体１０を形成する材料に芳香剤を混ぜ、芳香を発する材料で筐体を形成することで、芳香剤１２を入れる手間を省き、芳香剤１２を受け皿１１に入れ忘れても、筐体１０から微量ながらも芳香を出し続けるようにでき、筐体１０自体が芳香を放つことで、芳香剤１２を入れる受け皿１１を無くすこともでき、筐体１０の小型化が図れる。
【００３２】
（実施形態２）
本発明の実施形態２を図４及び図５を参照して説明する。本実施形態では、実施形態１で説明した照明装置Ａにおいて、表面に複数の開口１４ａが形成され内部に芳香剤を収納する芳香剤収納部１４を筐体１０の上部に設けるとともに、エアーコンディショナー３０又は扇風機３１のような空調機から送風される空気の当たる場所に配置されるように筐体１０を空調機に取り付けるための取付具１５（取付手段）を設けている。尚、芳香剤収納部１４及び取付具１５以外の構造及び回路構成は実施形態１と同様であるので、同一の構成要素には同一の符号を付してその説明は省略する。
【００３３】
筐体１０は取付具１５の先端を空調機に引っ掛けることで、空調機に取り付けられており、筐体１０を空調機から送風される空気の当たる場所に配置しているので、開口１４ａを通って芳香剤収納部１４の内部を空気が通り抜けることで、芳香剤収納部１４内に収納された芳香剤に空気を当てて、芳香剤の気化を促進することができ、また芳香剤の香りを風にのせて運ぶことで、部屋全体に短時間で芳香を行き渡らせることができる。部屋の容積が大きい場合、香りの自然拡散だけでは部屋全体に香りを行き渡らせるのに時間がかかるが、本実施形態では空調機による強制対流を利用することで、芳香剤の香りを短時間で部屋全体に行き渡らせることができる。
【００３４】
また、実施形態１で説明したように、筐体１０の内部に配置した３色の発光ダイオードＬＥＤＲ，ＬＥＤＧ，ＬＥＤＢの光で筐体１０の全体を芳香剤の香りに合わせた色で光らせることができ、香りによる演出効果と照明による演出効果とを同時に行うことでリラクゼーション効果を相乗的に高めることができる。
【００３５】
また、図５に示すように筐体１０に風鈴１６を吊り下げることによって、送風機からの風を受けて風鈴１６を鳴動させるようにしても良く、芳香剤の香りに合わせて照明の光と音による演出を行うことで、リラクゼーション効果をさらに高めることができる。尚、空調機からの送風量に１／ｆゆらぎなどの変化を付けるようにすれば、風鈴１６が自然の風で鳴っているように感じせることができる。また、本実施形態では筐体１０に風鈴１６を取り付けているが、風を受けて鳴動する手段であれば風鈴以外のものを用いても良いことは言うまでもない。
【００３６】
また、図６に示すように、例えば音声ＬＳＩからなり音声メモリ（図示せず）に記憶された音声を電子的に再生して、スピーカＳＰから出力する音声再生回路５を設け、制御回路３が発光ダイオードＬＥＤＲ，ＬＥＤＧ，ＬＥＤＢの発光を制御すると共に、音声再生回路５により音声を再生させてスピーカＳＰから出力させることで、芳香に合わせた照明の色と音声とで演出を行うことができ、リラクゼーション効果をさらに高めることもできる。なお、音声再生回路５内の音声メモリに音を録音できるようにすれば、予め自分の好みの音や音楽を録音しておくことで、好きな音や音楽を再生して楽しむことができ、リラクゼーション効果をさらに高めることができる。
【００３７】
（実施形態３）
本発明の実施形態３を図７を参照して説明する。本実施形態では、実施形態１の照明装置Ａにおいて、一定時間をカウントするタイマー回路６を設け、タイマー回路６のカウント値に応じて制御回路３がＲ，Ｇ，Ｂの３色の発光ダイオードＬＥＤＲ，ＬＥＤＧ，ＬＥＤＢの光出力を連続的に変化させている。尚、タイマー回路６以外の回路構成及び構造は実施形態１と同様であるので、同一の構成要素には同一の符号を付して、その説明は省略する。
【００３８】
制御回路３は、タイマー回路６のカウント値に応じてＲ，Ｇ，Ｂの３色の発光ダイオードＬＥＤＲ，ＬＥＤＧ，ＬＥＤＢの光出力を連続的に変化させることで、発光色を時間の経過とともに連続的に変化させており、例えば１／ｆのゆらぎで光の色を連続的に変化させることで、視覚的なリラクゼーション効果をより高めることができる。
【００３９】
尚、本実施形態のタイマー回路６を他の実施形態に適用し、発光色を時間の経過とともに連続的に変化させるようにしても良く、上述と同様の効果を得ることができる。
【００４０】
（実施形態４）
本発明の実施形態４を図８及び図９を参照して説明する。尚、本実施形態の回路構成は実施形態１と同様であるので、その説明は省略する。
【００４１】
図８に本実施形態の側面図を示す。この照明装置Ａの筐体１０は、透光性材料により上面が開口した中空円筒状に形成されたボディ１０ａと、下面が開口した中空円筒状であってボディ１０ａの開口を塞ぐようにしてボディ１０ａに被着されるカバー１０ｂとを結合することで構成される。ボディ１０ａとカバー１０ｂとの接合部はシールされ、水密構造となっており、一部が没した状態で水に浮かぶように形成されている。而して、本実施形態の照明装置Ａは、図９に示すように浴槽３２内の湯３３に芳香剤１２を入浴剤として混ぜた浴室内に配置され、浴槽３２の湯３３に浮かべて使用されるのである。
【００４２】
筐体１０の内部には、蓄電池Ｅと、入力回路２及び制御回路３などの回路が形成された回路基板を収納する制御ブロック７と、ＲＧＢの３色の発光ダイオードＬＥＤＲ，ＬＥＤＧ，ＬＥＤＢからなる光源ブロック２１とが収納されている。
【００４３】
蓄電池Ｅと制御ブロック７とはボディ１０ａの底部に配置されており、これら蓄電池Ｅ及び制御ブロック７が錘となって、筐体１０はボディ１０ａを下側にして水面に浮かぶようになっている。尚、本実施形態の照明装置Ａは浴槽３２の湯に浮かべて使用されるため、感電の危険性があるが、電源として蓄電池Ｅを用いることで、感電による事故を防止している。
【００４４】
また、ＲＧＢの３色の発光ダイオードＬＥＤＲ，ＬＥＤＧ，ＬＥＤＢからなる光源ブロック２１はカバー１０ｂの上部に配置されており、各発光ダイオードＬＥＤＲ，ＬＥＤＧ，ＬＥＤＢの光が筐体１０を透過して、筐体１０全体を光らせ、さらに３色の光が混色して、見る者の網膜に入射することで、様々な色を認識させることができる。
【００４５】
ここで、ボディ１０ａの底板外側面には、上述した設定操作部１ａ〜１ｃの防水機能を有する摘み８が露設されており、摘み８を操作して各発光ダイオードＬＥＤＲ，ＬＥＤＧ，ＬＥＤＢの発光量をそれぞれ調整することで、湯３３に混ぜた芳香剤１２の発する香りに合わせて発光色を調整することができ、香りによる演出と照明による演出との相乗効果でリラクゼーション効果を高めることができる。例えば芳香剤１２の香りがラベンダーの香りであれば光の色を紫色、バラの香りであれば光の色を赤色、レモンの香りであれば光の色を黄色というように香りに合わせて光の色を変化させており、香りの種類に合わせた色に調整できるので、芳香剤１２の選択の自由度が高くなるという利点もある。
【００４６】
ところで、本実施形態では筐体１０を密閉構造として、浴槽３２に入れた湯３３に筐体１０が浮かぶようにしているが、図１０に示すように筐体１０内に入れた制御ブロック７’を密封構造として、この制御ブロック７’内に蓄電池Ｅを収納するとともに、ボディ１０ａの表面に湯を筐体１０内に入れるための複数の貫通孔１０ｃを形成して、筐体１０の内部に湯を入れることのできる構造とし、さらにボディ１０ａの底に錘１７を取り付けることで、筐体１０を湯３３に浮かべたり、水中に沈ませたりするようにしても良く、様々な位置で発光を楽しむことができる。尚、錘１７には摘み８を露出させるように取り付けられている。
【００４７】
また、本実施形態の照明装置Ａを泡風呂に配置しても良く、照明装置Ａの光が浴槽３２内に発生させた泡に照射させると、泡によって光が反射されるので、泡がない場合に比べて照明装置Ａの光の照射範囲を広げることができ、泡に反射した光を楽しむことができる。尚、泡を発生させる入浴剤に芳香剤を混ぜておくことで、嗅覚的な演出と視覚的な演出とを同時に行うことができ、両者の相乗効果でリラクゼーション効果を高めることができる。
【００４８】
また、本実施形態では発光手段としてＲＧＢの３色で発光する発光ダイオードＬＥＤＲ，ＬＥＤＧ，ＬＥＤＢを用いているが、ＲＧＢの３色の発光ダイオードの代わりに浴槽３２の湯３３に入れる入浴剤、或いは泡を発生させる入浴剤に混ぜた蛍光体と、蛍光体に紫外線を照射することで蛍光体を励起して発光させる紫外発光ダイオードとで発光手段を構成するようにしても良く、芳香剤の香りに合わせた色で発光する蛍光体を入浴剤に混ぜておくことで、芳香剤の香りに合わせた色で発光させることができる。また、この場合は発光ダイオードの数が１個で済むので、発光ダイオードの数を少なくでき、さらに浴槽３２に入れた湯３３を光らせることで明るさの範囲を広げることができる。
【００４９】
（実施形態５）
本発明の実施形態５を図１１及び図１２を参照して説明する。尚、照明装置Ａの回路構成は実施形態１と略同様であるので、同一の構成要素には同一の符号を付して、その説明は省略する。
【００５０】
図１２は照明装置Ａのブロック図であり、それぞれＲ、Ｇ、Ｂの３色の発光ダイオードＬＥＤＲ，ＬＥＤＧ，ＬＥＤＢからなる光源ブロック２１ａ，２１ｂと、各発光ダイオードＬＥＤＲ，ＬＥＤＧ，ＬＥＤＢの発光量を設定するための設定操作部１ａ〜１ｃと、各設定操作部１ａ〜１ｃによる設定値に応じた制御信号を発生する入力回路２と、例えばマイクロコンピュータからなり入力回路２からの制御信号に応じて各発光ダイオードＬＥＤＲ，ＬＥＤＧ，ＬＥＤＢの発光量を制御する制御回路３と、動作電源を供給する蓄電池Ｅと、内部に芳香剤を収納し芳香剤を加熱したり振動を加えることで芳香を発生する芳香発生装置２０（芳香発生手段）と、使用者の体温、脈拍、脳波等の生体情報を検出するセンサ２５とで構成される。尚、光源ブロック２１ａ，２１ｂとして、３色の発光ダイオードＬＥＤＲ，ＬＥＤＧ，ＬＥＤＢが１つのチップに形成された所謂３イン１チップを用いてもよく、光源ブロック２１ａ，２１ｂを小型にできる。
【００５１】
図１１は照明装置Ａの外観図であり、この照明装置Ａは、光源ブロック２１ａ，２１ｂ及び芳香発生装置２０が取り付けられ、使用者が装着する眼鏡様の装着具２２と、上述した設定操作部１ａ〜１ｃ、入力回路２、制御回路３、及び蓄電池Ｅを収納した制御ブロック９とで構成され、装着具２２と制御ブロック９とはケーブル２４を介して接続されている。
【００５２】
装着具２２は眼鏡様の形状を有し、使用者の両方の目を覆うように外光を遮光する遮光板２３が取り付けられている。そして、遮光板２３の左右の目に対向する部位には上述した光源ブロック２１ａ，２１ｂが配置されており、光源ブロック２１ａ，２１ｂは人の目に光が入射しやすい位置に配置されている。また、装着具２２の一方の弦２２ａには芳香発生装置２０が取り付けられており、この芳香発生装置２０からは香りを送るパイプ２０ａが人の鼻孔に対応する位置まで延びている。また、遮光板２３の眉間に対向する部分にはセンサ２５が取り付けられている。尚、本実施形態では装着具２２を眼鏡様の形状に形成しているが、装着時に外光を遮光できるような形状であればどのような形状に形成しても良く、アイマスクのような形状にしても良い。
【００５３】
制御ブロック９の内部には、実施形態１で説明した入力回路２及び制御回路３などの回路を形成した回路基板が収納されている。また、制御回路３はタイマー機能を有しており、予め設定された時間が経過すると、各光源部２１ａ，２１ｂの３色の発光ダイオードＬＥＤＲ，ＬＥＤＧ，ＬＥＤＢを点灯させることができるようになっている。なお、制御回路３は、各発光ダイオードＬＥＤＲ，ＬＥＤＧ，ＬＥＤＢを１つずつ、或いは複数纏めて点灯させたり、それらの発光量を変化させることで、芳香剤の香りに合わせて光の色を変化させるようになっている。
【００５４】
また芳香発生装置２０の動作は制御回路３によって制御されており、制御回路３のタイマー機能により予め設定された睡眠開始時刻と覚醒時刻とでそれぞれ動作するようになっている。芳香発生装置２０には好みの芳香剤を入れておくことができ、また複数種類の芳香剤を入れておくことで、睡眠開始時刻と覚醒時刻とで別々の芳香を出すこともできる。尚、芳香発生装置２０では加熱量や振動の強さを変化させることで、発生する芳香の強さを変化できるようになっている。
【００５５】
またセンサー２５は、装着した人の体温、脈拍、脳波などの生体信号を検出する従来周知のセンサーからなり、制御回路３はセンサー２５の検出結果に基づいて装着した人の入眠レベルや覚醒レベルを判断し、入眠が確認できた時刻からタイマー機能をスタートさせたり、芳香発生装置２０の動作を停止させることで、装着した人の状態に合わせて照明による演出と芳香による演出の両方を制御をすることできる。例えば、予め設定された覚醒時刻がくると、芳香発生装置２０から覚醒しやすい香りを発生させることで心地よく覚醒させることができ、心地よい芳香で穏やかに目覚めさせたり、刺激臭や覚醒効果のある芳香により直ちに目覚めさせることもできる。また、予め設定された睡眠開始時刻がくると、芳香発生装置２０から睡眠状態に誘導するような芳香（例えばリラックス効果のある芳香）を発生させることで速やかに入眠させることができる。また、予め設定された覚醒時刻がくると、制御回路３が瞼に当てる光の色を皮膚（瞼）を透過しにくい短波長の青色系の光から、皮膚を透過しやすい長波長の赤色系の光に変化させることで快適に目覚めさせることもできる。また、発光色が可変なので使用者の好みの色に設定することもできる。
【００５６】
（実施形態６）
本発明の実施形態６を図１３及び図１４を参照して説明する。尚、照明装置Ａの回路構成は実施形態１と同様であるので、その説明は省略する。
【００５７】
図１３に照明装置Ａの外観斜視図を示す。本実施形態の照明装置Ａは例えば庭などの屋外に配置して使用するものであり、照明装置Ａの筐体２６はガラス或いは透光性樹脂などの透光材料で形成され、略円板状のベース２６ａと、ベース２６ａの上面に突設された略円筒状の筒体２６ｂと、筒体２６ｂの上端に被着される蓋板２６ｃとで構成されている。蓋板２６ｃは着脱自在となっており、蓋板２６ｃを外すことで内部に収納した芳香剤収納部２９に芳香剤を入れることができる。蓋板２６ｃには吊り輪２６ｄが設けられており、例えば木などに取り付けたフックで吊り輪２６ｄを引っ掛けることで、筐体２６を吊り下げて使用することもできる。また、筒体２６ｂの上部周面には筒体２６ｂの内部と連通する複数の通気孔２６ｅが形成されており、筒体２６ｂの下部には光の色を調節するための設定操作部１ａ〜１ｃの摘み８が配置されている。
【００５８】
筐体２６の内部には、上述した入力回路２及び制御回路３などの回路が形成された回路基板や蓄電池Ｅを収納した制御ブロック２７と、ＲＧＢの３色の発光ダイオードＬＥＤＲ，ＬＥＤＧ，ＬＥＤＢを収納した光源ブロック２８と、芳香剤を入れる皿形の芳香剤収納部２９とが収納されている。尚、本実施形態では制御ブロック２７の電源を蓄電池Ｅとしているが、商用電源により給電するようにしても良い。
【００５９】
芳香剤収納部２９は制御ブロック２７及び光源ブロック２８の上側に配置されており、発光時に制御ブロック２７や光源ブロック２８で発する熱が対流などによって芳香剤収納部２９に当たり、芳香剤収納部２９に入れられた液状の芳香剤が効率良く気化するようになっている。また、芳香剤収納部２９は通気孔２６ｅのすぐ下側に配置されており、芳香剤の発した芳香が外部に放出されやすくなっている。
【００６０】
光源ブロック２８の発光は制御ブロック２７で制御されており、ＲＧＢの３色の発光ダイオードＬＥＤＲ，ＬＥＤＧ，ＬＥＤＢの発光を制御することで、芳香剤の芳香に合わせた色で発光するようになっており、光源ブロック２８の光が筐体２６を透過して外部に照射されることで、筐体２６を光らせることができる。尚、筐体２６の全体を光らせるようにしても良いし、一部のみを光らせても良い。
【００６１】
ここで、芳香剤収納部２９に入れる芳香剤に、虫に対して忌避効果を有する成分や殺虫効果を有する成分を混ぜても良く、屋外で使用する際に蚊等の虫が近寄るのを防止できる。また、この照明装置Ａを犬小屋やペットの檻などの近くに置けば、演出効果に加えてペットへの虫除けの効果が得られる。
【００６２】
また、光源ブロック２８に、誘虫効果を有する波長（例えば３７０ｎｍ）の光を遮光するフィルタを取り付けることで、光源ブロック２７からの光に誘われて虫が近寄ってくるのを防止できる。
【００６３】
また、制御ブロック２７に気圧計、湿度計、温度計を内蔵させて、気圧計、湿度計、温度計の検出結果から気象状態を予測し、その予測結果に基づいて光の色を変化させるようにしても良く、例えば気温が２５度を超え、湿度が８０％を超えると赤色系の色に変化させるというように、天候の変化に合わせた色で点灯させることで、リラクゼーション効果をより高めることもできる。
【００６４】
【発明の効果】
上述のように、請求項１の発明は、芳香剤による演出効果に合わせて光の色を変化させる発光手段を備えて成ることを特徴とし、芳香と照明による演出を行うことができ、且つ芳香に合った色で照明することで、演出効果を高めることができる。
【００６５】
請求項２の発明は、請求項１の発明において、芳香剤を入れておく収納部を発光手段の発光時に発生する熱が伝わる部位に配置したことを特徴とし、液状の芳香剤を用いる場合は発光手段の発光時に発生する熱で芳香剤の気化を促進して、芳香を発しやすくできる。
【００６６】
請求項３の発明は、請求項１の発明において、発光手段を収納する筐体を形成する材料に芳香剤を混ぜたことを特徴とし、筐体自体から芳香を発することができる。
【００６７】
請求項４の発明は、請求項２又は請求項３の発明において、空調機から送風される空気が当たる場所に配置されるように発光手段を収納する筐体を空調機に取り付けるための取付手段を設けたことを特徴とし、取付手段を介して筐体を空調機に取り付けることで、芳香剤の発する芳香を空調機からの風にのせて短時間で広範囲に拡散させることができる。
【００６８】
請求項５の発明は、請求項４の発明において、風を受けて音が鳴る手段、又は、電子的に音声を再生する手段の何れかを設けたことを特徴とし、芳香と光に加えて音による演出を行うことできる。
【００６９】
請求項６の発明は、請求項１の発明において、浴槽の湯に芳香剤が入浴剤として入れられた浴室に配置され、発光手段を収納する筐体を、少なくとも一部が浴槽の湯に没するように形成したことを特徴とし、浴室内で芳香と光による演出を楽しむことができ、且つ発光手段を浴槽内の様々な位置（深さ）で点灯させることで、様々な光を楽しむことができる。
【００７０】
請求項７の発明は、請求項１の発明において、泡風呂に配置して、発光手段の光を泡に照射させたことを特徴とし、泡に反射した光を楽しむことができる。
【００７１】
請求項８の発明は、請求項７の発明において、泡を発生する入浴剤が芳香を発することを特徴とし、請求項７と同様、泡風呂に使った状態で芳香と光による演出を楽しむことができる。
【００７２】
請求項９の発明は、請求項１の発明において、人の目に光が入射しやすい位置に発光手段を配置するとともに、芳香を発生する芳香発生手段を設け、予め設定された覚醒時刻がくると発光手段を発光させるとともに、芳香発生手段から覚醒しやすい香りを発生させることを特徴とし、芳香と光とで使用者を気持ちよく覚醒させることができる。
【００７３】
請求項１０の発明は、請求項９の発明において、覚醒時刻がくると、発光手段は光の色を人の瞼を通りにくい青色系から瞼を通過しやすい赤色系に変化させることを特徴とし、装着した人が眩しさを感じるのを防いで気持ち良く覚醒させることができる。
【００７４】
請求項１１の発明は、請求項９又は請求項１０の発明において、予め設定された睡眠開始時刻がくると、芳香発生手段が睡眠状態に誘導するような香りを発生させることを特徴とし、芳香により気持ちよく睡眠状態に誘導することができる。
【００７５】
請求項１２の発明は、請求項１の発明において、芳香剤が、虫に対して忌避効果を有する成分又は殺虫効果を有する成分の何れかを含んで成ることを特徴とし、光に誘われて虫が近寄ってくるのを防止できる。
【００７６】
請求項１３の発明は、請求項１の発明において、上記発光手段は、少なくとも誘虫効果のある波長を除いた波長の光を発することを特徴とし、光に誘われて虫が近寄ってくるのを防止できる。
【００７７】
請求項１４の発明は、請求項１乃至請求項１３の何れかの発明において、気象状態を予測する気象予測手段を設け、上記発光手段は気象予測手段の予測結果と芳香剤の香りとに基づいて光の色を変化させることを特徴とし、芳香の種類及び気象状態に合わせて光の色を変化させることで、より細かな演出効果が得られる。
【００７８】
請求項１５の発明は、請求項１乃至請求項１４の何れかの発明において、上記発光手段は、光の色を時間の経過とともに変化させることを特徴とし、光の色を時間的に変化させることで、より細かな演出効果が得られる。
【００７９】
請求項１６の発明は、請求項１乃至請求項１５の何れかの発明において、上記発光手段を、ＲＧＢの３色の発光ダイオードと、各色の発光ダイオードの発光量を変化させる制御回路とで構成したことを特徴とし、光源に発光ダイオードを用いることで、照明装置の小型化を図ると共に、消費電力を抑制できる。
【００８０】
請求項１７の発明は、請求項１乃至請求項１５の何れかの発明において、上記発光手段を、ＲＧＢの３色のフィルム状のＥＬ素子と、各色のＥＬ素子の発光量を変化させる制御回路とで構成したことを特徴とし、光源にフィルム状のＥＬ素子を用いることで、照明装置の小型化を図ると共に、消費電力を抑制でき、また発光ダイオードに比べて発光面積を大きくとることができる。そのうえ、厚みを薄く形成できるから、容易に変形させることができ、布のような柔らかい素材と組み合わせて使用することもできる。
【００８１】
請求項１８の発明は、請求項６又は請求項８の発明において、上記発光手段は、入浴剤に混ぜた蛍光体と、蛍光体に紫外線を照射することで蛍光体を励起して発光させる紫外発光ダイオードからなることを特徴とし、入浴剤に混ぜた蛍光体を発光させることで、浴槽内の湯全体を発光させることができ、照明の範囲を広くできる。
【図面の簡単な説明】
【図１】実施形態１の照明装置の外観斜視図である。
【図２】同上のブロック図である。
【図３】同上の別の照明装置のブロック図である。
【図４】実施形態２の照明装置をエアーコンディショナーに取り付けた状態の斜視図である。
【図５】同上を扇風機に取り付けた状態の斜視図である。
【図６】同上の別の照明装置のブロック図である。
【図７】実施形態３の照明装置のブロック図である。
【図８】実施形態４の照明装置の側面図である。
【図９】同上の使用状態を説明する説明図である。
【図１０】同上の別の照明装置の側面図である。
【図１１】実施形態５の照明装置の外観斜視図である。
【図１２】同上のブロック図である。
【図１３】実施形態５の照明装置の外観斜視図である。
【図１４】同上の使用状態を説明する説明図である。
【符号の説明】
Ａ　　照明装置
１０　筐体
１１　受け皿
１２　芳香剤
１３　回路基板
ＬＥＤＲ，ＬＥＤＧ，ＬＥＤＢ　発光ダイオード
【図１】
2004055360.tif 000003
【図２】
2004055360.tif 000004
【図３】
2004055360.tif 000005
【図４】
2004055360.tif 000006
【図５】
2004055360.tif 000007
【図６】
2004055360.tif 000008
【図７】
2004055360.tif 000009
【図８】
2004055360.tif 000010
【図９】
2004055360.tif 000011
【図１０】
2004055360.tif 000012
【図１１】
2004055360.tif 000013
【図１２】
2004055360.tif 000014
【図１３】
2004055360.tif 000015
【図１４】
2004055360.tif 000016